(57)【要約】【課題】車両用シートパッドに着座センサーなどの機能シートを容易に配設でき、しかも機能シートのハーネスを引き出しやすい車両用シートパッドを提供することを目的とする。【解決手段】メイン部１６とその後端において上方に隆起するパッド後部２０を有するパッド本体１２と、前記メイン部１６の表面に配置された機能シート５０とを備える車両用シートパッド１０において、前記パッド後部２０の一部にその前端から後端にわたって凹部２８が設けられていることを特徴とする。【選択図】    図１
2006206024.tif 000002
【特許請求の範囲】
【請求項１】
メイン部とその後端において上方に隆起するパッド後部を有するパッド本体と、前記メイン部の表面に配置された機能シートとを備える車両用シートパッドにおいて、
前記パッド後部の一部にその前端から後端にわたって凹部が設けられていることを特徴とする車両用シートパッド。
【請求項２】
前記凹部の後縁部に上方へ突出する突起部が設けられ、該突起部の一部に切欠が設けられていることを特徴とする請求項１に記載の車両用シートパッド。
【発明の詳細な説明】
【技術分野】
【０００１】  本発明は、自動車などの車両等の座席クッション材として用いられるシートパッドに関するものである。
【背景技術】
【０００２】  従来、例えば、エアバック装置を具備する助手席シートには、エアバックの誤動作防止などの目的で、乗員の着座を検知するシート状（面状）の着座センサが内蔵されている。また、自動車シートには、冬期などの低温時に着座面に加熱して乗員の快適性を高めるためにシート状のヒータを内蔵する場合もある。【０００３】  このような着座センサやヒータなどの機能シートを自動車シートに配設するための構造が種々提案されている（例えば、特許文献１、２）。【０００４】  下記特許文献１には、車両用シートパッドを、底面に凹状の格納空間を有するメインパッドと、該格納空間に収納されるサブパッドとで構成して、上記格納空間にサブパッドを装着すると共に、該サブパッドの上面と格納空間の天井面との間に着座センサやヒータなどを配設することで、機能シートをパッド内部に配設する技術が開示されている。【０００５】  下記特許文献２には、車両用シートパッドを発泡成形する際に機能シートを発泡樹脂内に配することで、機能シートをパッド内部に配設する技術が開示されている。
【特許文献１】特開平１１−３４７１０号公報
【特許文献２】特開平９−１８２６４７号公報
【発明の開示】
【発明が解決しようとする課題】
【０００６】  上記特許文献１に開示の技術では、メインパッドとサブパッドを成形する必要があり、サブパッドといえども別の製造ラインで製造する必要がある。そのため、設備上という点からも、また、製造工数という点からも生産コスト高の要因となっている。また、別々に成形すると、両者を組み合わせる工数も別途必要になり、この点でもコスト高の要因となる。【０００７】  一方、上記特許文献２に開示の技術では、機能シートを車両用シートパッドと一体発泡成形するため、該機能シートのリード線に接続されたハーネスを車両用シートパッドから引き出すことが困難である問題がある。更に、パッド内部から導出されたハーネスは、シートパッドの表面に表皮をつり込むためのつり込み溝に沿って該パッドの後方から前端へ引き出されている。そのため、着座時にシートがたわむことでハーネスが過度に屈曲されて断線するおそれがあり、また、シートパッドの前端から引き出されたハーネスによってシートパッドの美観を損ねる問題がある。【０００８】  本発明は、以上の点に鑑みてなされたものであり、車両用シートパッドに着座センサーなどの機能シートを容易に配設でき、しかも機能シートのハーネスを引き出しやすい車両用シートパッドを提供することを目的とする。
【課題を解決するための手段】
【０００９】  本発明に係る車両用シートパッドは、メイン部とその後端において上方に隆起するパッド後部を有するパッド本体と、前記メイン部の表面に配置された機能シートとを備える車両用シートパッドにおいて、前記パッド後部の一部にその前端から後端にわたって凹部が設けられていることを特徴とする。【００１０】  本発明の車両用シートパッドでは、上方に隆起するパッド後部の一部にその前端から後端にわたって凹部が設けられているため、パッド本体の表面に配置された機能シートのハーネスを該凹部から車両用シートパッドの後方外部へ引き出すことができる。そのため、着座時のシートパッドの撓みに影響されにくいようなハーネスの取り回しが可能となり、ハーネスが過度に屈曲されて断線するおそれを解消できるとともに、シートパッドの後方からハーネスを引き出すためシートパッドの美観を損ねることもない。しかも、機能シートのリード線とハーネスを接続するコネクター等のハーネス付属部品を凹部に収納することで、該ハーネス付属部品をパッド材で保護することができるため、ハーネス付属部品の破損による機能シートの誤作動も防止することができる。【００１１】  本発明の車両用シートパッドにおいては、前記凹部の後縁部に上方へ突出する突起部が設けられ、該突起部の一部に切欠が設けられてもよい。この場合、突起部によって凹部に収納されたハーネス付属部品が位置ズレすることがなくなり、たとえハーネスに引っ張り応力が加わった場合であってもその応力が機能シートに伝わることがないため、機能シートを破損することがない。
【発明の効果】
【００１２】  本発明の車両用シートパッドであると、機能シートをパッド本体の表面に配置するといった簡単な配置方法を採用しても、機能シートのハーネスをパッド本体の後方へ簡単に引き出すことができる。
【発明を実施するための最良の形態】
【００１３】  以下、本発明の実施形態に係る車両用シートパッドについて図面を参照して説明する。【００１４】  図１は本実施形態に係るシートパッド１０の平面図、図２は同シートパッド１０の断面図、図３は図２の要部拡大断面図である。【００１５】  このシートパッド１０は、自動車のシート座面部に用いられるクッションパッドであり、着座した人体を検知するための着座センサ５０がパッド本体１４の表面に配置された着座センサ付きのシートパッドである。【００１６】  パッド本体１４は、金型内部にポリウレタンフォーム原料を注入して成型された軟質ポリウレタンフォームからなる発泡成形体であり、パッド本体１４の幅方向中央部であって主として着座者の臀部及び太股部を支える尻下部１６ａ及び腿受け部１６ｂからなるメイン部１６と、メイン部１６の左右両側において上方に隆起状に形成されたサイド部１８と、メイン部１６の後端において上方に隆起状に形成されたパッド後部２０とからなる。【００１７】  パッド本体１４の表面には、メイン部１６をそれより隆起しているサイド部１８及びパッド後部２０と区画する仕切溝２２が設けられており、また、メイン部１６において尻下部１６ａと腿受け部１６ｂとを区画する横溝２４及び尻下部１６ａの幅方向中央部に設けられた縦溝２６を備える。これらの溝はシートパッド１０の表皮吊り込み用溝として設けられている。【００１８】  パッド後部２０の幅方向の一部にはパッド後部２０の前端から後端にわたって凹部２８が凹設されており、その底面が尻下部１６ａとほぼ等しい高さに設けられている。また、凹部２８の後縁部にはその底面から上方へ突出する壁状の突起部３０が設けられ、突起部３０には切欠部３２が設けられている。【００１９】  シートパッド１０上には、着座した人体を検知するための感圧式のシート状着座センサ５０が配置されている。具体的には、パッド本体１４の尻下部１６ａの表面に着座センサ５０が接着固定され、着座センサ５０のリード線５２が縦溝２６及び仕切溝２２に沿って配設され、リード線５２とハーネス５４を接続するためのコネクタ５６がパッド後部２０に設けられた凹部２８に配設されている。コネクタ５６に接続されたハーネス５４は切欠部３２よりシートパッド１０の後方へ引き出されており、その先端には接続端子５８が接続されている。【００２０】  なお、本実施形態では仕切溝２２及び縦溝２６に沿わせてリード線５２を凹部２８へ引き出しているが、両溝２２、３６以外の尻下部１６ａ表面にリード線５２を配設して凹部２８へ引き出してもよい。【００２１】  そして、シートパッド１０はその表面に編物や織物などの表皮が被せられ、更に金属フレーム上に載置されることにより車両用シートとして構成される。【００２２】  このようにパッド本体１４のパッド後部２０に上記のような凹部２８を設けたことにより、尻下部１６ａ表面に着座センサ５０を配置する場合であってもハーネス５４をシートパッド１０の後方へ簡単に引き出すことができる。そのため、ハーネス５４がシートパッド１０の前方へと引き出されて美観を損なうことがなく、また、リード線５２やハーネス５４の取り回しを容易として製造コストを抑えることができる。【００２３】  しかも、��座センサ５０のリード線５２とハーネス５４を接続するコネクター５６をパッド後部２０に設けられた凹部２８に収納することができるため、コネクタ５６を軟質ポリウレタンフォームからなる発泡体で保護することができ、コネクタ５６が破損することがない。【００２４】  また、本実施形態では、凹部２８底面に突起部３０が設けられているので、ハーネス５４に引っ張り応力が加わったとしても凹部２８に配置されたコネクタ５４が位置ズレを起こすことがない。そのため、該応力によってリード線５２が断線して着座センサ５０を破損することがなく、メンテナンス性に優れている。【００２５】  なお、本発明は、凹部２８底面に切欠部３２を備えた突起部３０が設けられている場合に限定するものではなく、凹部２８の底面に突起部３０が設けられていなくてもよい。【００２６】  図４は、本発明の変更例に係るシートパッド１０の断面図を示すものであり、パッド本体１４のメイン部１６において尻下部１６ａが腿受け部１６ｂより落ちこんで低く設けられている。この尻下部１６ａ表面に着座センサ５０を接着固定し、上記のようにパッド後部２０に設けられた凹部２８の切欠部３２からハーネス５４をシートパッド１０後方へ引き出した後、尻下部１６ａの凹形状に対応した形状に成形されたスラブウレタンパッドなどからなる小パッド４０が嵌め入れられ接着などの適宜の方法で固定されてシートパッド１０をなしている。【００２７】  このようなシートパッド１０であれば、パッド本体１４を被覆する表皮が薄い場合、着座時にパッド本体１４の表面に配置された着座センサ５０による異物感を感じるおそれがあるが、本変更例であれば、このような異物感を解消することができる。【００２８】  なお、上記実施形態では、着座センサ５０を設置する場合について説明したが、ヒータ、脱臭シートなど座席に何らかの機能を付与する各種機能シートにも同様に適用することができる。【００２９】  また、上記実施形態ではパッド後部２０に凹部２８を一カ所設けたが、例えば、座席に適用する機能シートが後方に凸部を有する形状をなす場合、あるいはシートパッド１０に他の部品を配設する場合には、上記のような凹部２８に加え、他の凹部をパッド後部２０に設けてもよい。
【図面の簡単な説明】
【００３０】
【図１】本発明の一実施形態に係るシートパッドの平面図である。
【図２】同シートパッドの断面図である。
【図３】図２の要部拡大断面図である。
【図４】シートパッドの変更例を示す前後方向での断面図である。
【符号の説明】
【００３１】  １０…シートパッド
１４…パッド本体
１６…メイン部
１６ａ…尻下部
１６ｂ…腿受け部
２０…パッド後部
２８…凹部
３０…突起部
３２…切欠部
５０…着座センサ
５４…ハーネス
５６…コネクタ
【図１】
2006206024.tif 000003
【図２】
2006206024.tif 000004
【図３】
2006206024.tif 000005
【図４】
2006206024.tif 000006